(57)【要約】【課題】  蒸発器として用いる積層型熱交換器において、気液二相状態の冷媒の各粒を細分化するとともに、攪拌して均一化するため、偏平皿11を冷媒の第１流路7に配置するとともに、その外絞り孔14をプレス成形により容易に且つ、精度よく穿設でき、且つ冷媒の入口部の近傍の空間の耐圧性を向上させること。【解決手段】  偏平皿11の開口を蓋部材11aで閉塞し、それらを第１プレート5と第２プレート6との間に挟持する。そして偏平皿11の底の外面と、第２プレート6との間に、部分的に内側隙間17を形成し、そこに内絞り孔18を穿設し、偏平皿11と蓋部材11aとの接合部に、外絞り孔14を形成する。【選択図】        図５
2014109388.tif 000002
【特許請求の範囲】
【請求項１】
一対の第１流体(1)の第１入口(2a)および第１出口(2b)と、一対の第２流体(3)の第２入口(4a)および第２出口(4b)と、をそれぞれ有する皿状の第１プレート(5)と第２プレート(6)とが交互に積層され、
積層方向に、第１流体(1)が流通する第１流路(7)と、第２流体(3)が流通する第２流路(8)とが交互配置され、その第１流路(7)は第１入口(2a)と第１出口(2b)との間に設けられ、第１流体(1)が気液二相流の冷媒(1a)である積層型熱交換器において、
第１流路(7)の入口側端部の内周縁に整合し、第２入口(4a)またはその出口を内包して、第２プレート(6)の略全幅に渡る環状の外周壁(10)を有すると共に、前記第１入口(2a)に整合する冷媒(1a)の第１連通孔(9)を設けた偏平皿(11) と、
その偏平皿(11) の外周壁(10)に整合する外周を有し、その外周と前記外周壁の開口とが互いに接合される蓋部材(11a) と、を具備し、
前記偏平皿(11)および蓋部材(11a)はプレス加工により形成され、その蓋部材(11a) には偏平皿(11) の第１連通孔(9)に整合する蓋側連通孔(9a)が設けられて、その蓋側連通孔 (9a)の孔縁と偏平皿(11)の第１連通孔(9)の孔縁に互いに対向方向に突設した内周壁(15)(15a)を有し、それら内周壁(15)(15a)の端縁が互いに接合され、
前記蓋部材(11a)と第１プレート(5)とが液密に接合され、
その偏平皿(11) の周辺底(12)と、その周辺底(12)の外面に対向する第２プレート(6)とが液密に接合され、
その偏平皿(11)の内周壁(15)の付根と第２プレート(6)との間に部分的に内側隙間(17)が形成され、その内側隙間(17)の底に冷媒(1a)の内絞り孔(18)が形成され、
その偏平皿(11)と蓋部材(11a)との周縁の接合部であって、第１流路(7)の入口側に、外絞り孔(14)が形成され、
冷媒(1a)が前記内絞り孔(18)、偏平皿(11)内の膨張空間(16)、外絞り孔(14)から前記第１流路(7)に導かれるように構成された積層型熱交換器。
【請求項２】
請求項１に記載の積層型熱交換器において、
蓋部材(11a) の第１流路(7)側の周縁が、偏平皿(11)の周縁より第１流路(7)側に延在し、その端縁が第２プレート(6)側へ断面Ｌ字状に折り曲げられて邪魔板部(26)を形成し、前記外絞り孔(14)から流出する冷媒がその邪魔板部(26)に衝突して拡散するように構成した積層型熱交換器。
【請求項３】
請求項１または請求項２に記載の積層型熱交換器において、
前記外絞り孔(14)が、前記偏平皿(11)の外周壁(10)の開口縁に設けた複数の凹部(19)と前記蓋部材(11a)との間に形成されたことを特徴とする積層型熱交換器。
【請求項４】
請求項１または請求項２に記載の積層型熱交換器において、
前記外絞り孔(14)が、前記偏平皿(11)の外周壁(10)の開口縁と蓋部材(11a) の周縁との間に設けた孔(20)であることを特徴とする積層型熱交換器。
【請求項５】
請求項１〜請求項４に記載の積層型熱交換器において、
前記偏平皿(11)の周縁の一部と蓋部材(11a) の周縁のそれとの間が連結部(22)で部分的に連結され、その連結部(22)を折り返して偏平皿(11)と蓋部材(11a) との周縁を接触させるように構成した積層型熱交換器。
【請求項６】
一対の第１流体(1)の第１入口(2a)および第１出口(2b)と、一対の第２流体(3)の第２入口(4a)および第２出口(4b)と、をそれぞれ有する皿状の第１プレート(5)と第２プレート(6)とが交互に積層され、
積層方向に、第１流体(1)が流通する第１流路(7)と、第２流体(3)が流通する第２流路(8)とが交互配置され、その第１流路(7)は第１入口(2a)と第１出口(2b)との間に設けられ、第１流体(1)が気液二相流の冷媒(1a)である積層型熱交換器において、
第１流路(7)の入口側端部の内周縁に整合し、第２入口(4a)またはその出口を内包して、第２プレート(6)の略全幅に渡る環状の外周壁(10)を有すると共に、前記第１入口(2a)に整合する冷媒(1a)の第１連通孔(9)を設けた偏平皿(11) と、
その偏平皿(11) の外周壁(10)に整合する外周を有し、その外周と前記外周壁の開口とが互いに接合される蓋部材(11a) と、を具備し、
前記偏平皿(11)および蓋部材(11a)はプレス加工により形成され、その蓋部材(11a) には偏平皿(11) の第１連通孔(9)に整合する蓋側連通孔(9a)が設けられ、
前記蓋部材(11a)と第１プレート(5)とが液密に接合され、
その偏平皿(11) の周辺底(12)と、その周辺底(12)の外面に対向する第２プレート(6)とが液密に接合され、
その偏平皿(11)と蓋部材(11a)との周縁の接合部であって、第１流路(7)の入口側に、外絞り孔(14)が形成され、
冷媒(1a)が偏平皿(11)内の膨張空間(16)、外絞り孔(14)から前記第１流路(7)に導かれるように構成された積層型熱交換器。
【請求項７】
請求項６に記載の積層型熱交換器において、
蓋部材(11a) の第１流路(7)側の周縁が、偏平皿(11)の周縁より第１流路(7)側に延在し、その端縁が第２プレート(6)側へ断面Ｌ字状に折り曲げられて邪魔板部(26)を形成し、前記外絞り孔(14)から流出する冷媒がその邪魔板部(26)に衝突して拡散するように構成した積層型熱交換器。
【請求項８】
請求項６または請求項７に記載の積層型熱交換器において、
前記外絞り孔(14)が、前記偏平皿(11)の外周壁(10)の開口縁に設けた複数の凹部(19)と前記蓋部材(11a) との間に形成されたことを特徴とする積層型熱交換器。
【請求項９】
請求項６または請求項７に記載の積層型熱交換器において、
前記外絞り孔(14)が、前記偏平皿(11)の外周壁(10)の開口縁と蓋部材(11a) の周縁との間に設けた孔(20)であることを特徴とする積層型熱交換器。
【請求項１０】
一対の第１流体(1)の第１入口(2a)および第１出口(2b)と、一対の第２流体(3)の第２入口(4a)および第２出口(4b)と、をそれぞれ有する皿状の第１プレート(5)と第２プレート(6)とが交互に積層され、
積層方向に、第１流体(1)が流通する第１流路(7)と、第２流体(3)が流通する第２流路(8)とが交互配置され、その第１流路(7)は第１入口(2a)と第１出口(2b)との間に設けられ、第１流体(1)が気液二相流の冷媒(1a)である積層型熱交換器において、
第１流路(7)の入口側端部の内周縁に整合し、第２入口(4a)またはその出口を内包して、第２プレート(6)の略全幅に渡る環状の外周壁(10)を有すると共に、前記第１入口(2a)に整合する冷媒(1a)の第１連通孔(9)を設けた偏平皿(11) と、
その偏平皿(11) の外周壁(10)に、第１流路(7)側の周縁を除き、整合すると共に、その第１流路(7)側の周縁は断面Ｌ字状に曲折された壁部(11b)を有し、その壁部(11b)の先端縁と偏平皿(11)の底面とが接合されると共に、それ以外の外周と前記外周壁(10)の開口とが互いに接合される蓋部材(11a) と、を具備し、
前記偏平皿(11)および蓋部材(11a)はプレス加工により形成され、その蓋部材(11a) には偏平皿(11) の第１連通孔(9)に整合する蓋側連通孔(9a)が設けられて、その蓋側連通孔(9a)の孔縁と偏平皿(11)の第１連通孔(9)の孔縁に互いに対向方向に突設した内周壁(15)(15a)を有し、それら内周壁(15)(15a)の端縁が互いに接合され、
前記蓋部材(11a)と第１プレート(5)とが液密に接合され、
その偏平皿(11) の周辺底(12)と、その周辺底(12)の外面に対向する第２プレート(6)とが液密に接合され、
その偏平皿(11)の内周壁(15)の付根と第２プレート(6)との間に部分的に内側隙間(17)が形成され、その内側隙間(17)の底に冷媒(1a)の内絞り孔(18)が形成され、
その偏平皿(11)と蓋部材(11a)の壁部(11b)との接合部であって、第１流路(7)の入口側に、外絞り孔(14)が形成され、
冷媒(1a)が前記内絞り孔(18)、偏平皿(11)内の膨張空間(16)、外絞り孔(14)から前記第１流路(7)に導かれるように構成された積層型熱交換器。
【請求項１１】
請求項10に記載の積層型熱交換器において、
蓋部材(11a) の壁部(11b)に対向する偏平皿(11)の周縁が邪魔板部(26)を形成し、前記外絞り孔(14)から流出する冷媒がその邪魔板部(26)に衝突して拡散するように構成した積層型熱交換器。
【請求項１２】
請求項10または請求項11に記載の積層型熱交換器において、
前記外絞り孔(14)が、蓋部材(11a) の壁部(11b)の先端縁と前記偏平皿(11)の底面との間に設けた複数の凹部(19)であることを特徴とする積層型熱交換器。
【発明の詳細な説明】
【技術分野】
【０００１】
本発明は、多数の皿状プレートを積層して、各プレートの１枚ごとに第１流体が流通する第１流路と、第２流体が流通する第２流路とを交互に配置した、蒸発器としての積層型熱交換器に関する。
【背景技術】
【０００２】
冷媒が気液二相状態で流通する蒸発器は、冷凍サイクルにおいて、凝縮器からの液体が膨張弁で急激に温度低下され、液相と気相の混合した気液二相流となって、その冷媒が蒸発器である熱交換器に送られる。このような蒸発器としての積層型熱交換器は、気相および液相の粒が比較的大きいとともに、プレート各部で気液の混合割合に疎密が生じる。それらによって、全体として熱交換性能を低下させることになる。
これを防止するため、冷媒流路の入口に、環状のスペーサを介装し、そのスペーサに複数の絞り孔を放射方向に設けたものが知られている。冷媒はその絞り孔を介して流路に放出され急激に膨張する。そのとき気液二相状態の冷媒の各粒を細分化して、熱交換能力を向上するものである。
【０００３】
さらに、その細分化を促進するため、下記特許文献１に記載されたプレート式熱交換器は、冷媒流路の入口に、断面コ字状の環状体を挿入することが提案されている。その環状体の環状流路の内壁と外壁とに孔を設け、内壁の孔から冷媒を流入させ、そこで絞りを加えた後に環状流路で膨張させ、気相粒と液相粒を細分化し、さらに外壁の孔で絞りを加え第１流路に放出することにより、２段階で絞りおよび膨張を行い、各粒を細分化して均一に混合された気液を第１流路に供給するものである。そして、後者の提案は前者の二倍、気相粒と液相粒を細分化できるとされている。
【先行技術文献】
【特許文献】
【０００４】
【特許文献１】特許第４４５４７７９号公報
【発明の概要】
【発明が解決しようとする課題】
【０００５】
蒸発器として使用される積層型熱交換器は、その熱交換を促進するため、各プレート間の間隔を可能な限り狭くする必要がある。すると、特許文献１に記載された環状体の高さも低くなる。その高さの低くなった内壁と外壁の周壁に孔を穿設する工程は、極めて面倒である。特に、それを金属板のプレス加工で行なう場合、側壁に形成される孔（例えば、直径２ｍｍ程度）はプレスの後工程で穿設する必要がある。なぜならば、プレートの状態で孔を予め形成すると、その後のプレス加工にともない、孔が変形するおそれがある。すると所望の効果を得られないおそれがある。
【０００６】
そこで本発者は、プレス加工により容易に形成することができる孔を有する環状の皿を特願２０１０−０２７２７８号（本発明の出願時、未公開）の積層型熱交換器として既に、提案している。
本発明は、上記提案の発明に加えて、冷媒入口付近の空間の耐圧性をさらに、向上させることを目的とする。
【課題を解決するための手段】
【０００７】
請求項１に記載の本発明は、一対の第１流体1の第１入口2aおよび第１出口2bと、一対の第２流体3の第２入口4aおよび第２出口4bと、をそれぞれ有する皿状の第１プレート5と第２プレート6とが交互に積層され、
積層方向に、第１流体1が流通する第１流路7と、第２流体3が流通する第２流路8とが交互配置され、その第１流路7は第１入口2aと第１出口2bとの間に設けられ、第１流体1が気液二相流の冷媒1aである積層型熱交換器において、
第１流路7の入口側端部の内周縁に整合し、第２入口4aまたはその出口を内包して、第２プレート6の略全幅に渡る環状の外周壁10を有すると共に、前記第１入口2aに整合する冷媒1aの第１連通孔9を設けた偏平皿11と、
その偏平皿11 の外周壁10に整合する外周を有し、その外周と前記外周壁の開口とが互いに接合される蓋部材11a と、を具備し、
前記偏平皿11および蓋部材11aはプレス加工により形成され、その蓋部材11aには偏平皿11の第１連通孔9に整合する蓋側連通孔9aが設けられて、その蓋側連通孔9aの孔縁と偏平皿11の第１連通孔9の孔縁に互いに対向方向に突設した内周壁15,15aを有し、それら内周壁15,15aの端縁が互いに接合され、
前記蓋部材11aと第１プレート5とが液密に接合され、
その偏平皿11の周辺底12と、その周辺底12の外面に対向する第２プレート6とが液密に接合され、
その偏平皿11の内周壁15の付根と第２プレート6との間に部分的に内側隙間17が形成され、その内側隙間17の底に冷媒1aの内絞り孔18が形成され、
その偏平皿11と蓋部材11aとの周縁の接合部であって、第１流路7の入口側に、外絞り孔14が形成され、
冷媒1aが前記内絞り孔18、偏平皿11内の膨張空間16、外絞り孔14から前記第１流路7に導かれるように構成された積層型熱交換器である。
【０００８】
請求項２に記載の本発明は、請求項１に記載の積層型熱交換器において、
蓋部材11a の第１流路7側の周縁が、偏平皿11の周縁より第１流路7側に延在し、その端縁が第２プレート6側へ断面Ｌ字状に折り曲げられて邪魔板部26を形成し、前記外絞り孔14から流出する冷媒がその邪魔板部26に衝突して拡散するように構成した積層型熱交換器である。
【０００９】
請求項３に記載の本発明は、請求項１または請求項２に記載の積層型熱交換器において、
前記外絞り孔14が、前記偏平皿11の外周壁10の開口縁に設けた複数の凹部19と前記蓋部材11aとの間に形成されたことを特徴とする積層型熱交換器である。
【００１０】
請求項４に記載の本発明は、請求項１または請求項２に記載の積層型熱交換器において、
前記外絞り孔14が、前記偏平皿11の外周壁10の開口縁と蓋部材11aの周縁との間に設けた孔20であることを特徴とする積層型熱交換器である。
【００１１】
請求項５に記載の本発明は、請求項１〜請求項４に記載の積層型熱交換器において、
前記偏平皿11の周縁の一部と蓋部材11aの周縁のそれとの間が連結部22で部分的に連結され、その連結部22を折り返して偏平皿11と蓋部材11aとの周縁を接触させるように構成した積層型熱交換器である。
【００１２】
請求項６に記載の発明は、一対の第１流体1の第１入口2aおよび第１出口2bと、一対の第２流体3の第２入口4aおよび第２出口4bと、をそれぞれ有する皿状の第１プレート5と第２プレート6とが交互に積層され、
積層方向に、第１流体1が流通する第１流路7と、第２流体3が流通する第２流路8とが交互配置され、その第１流路7は第１入口2aと第１出口2bとの間に設けられ、第１流体1が気液二相流の冷媒1aである積層型熱交換器において、
第１流路7の入口側端部の内周縁に整合し、第２入口4aまたはその出口を内包して、第２プレート6の略全幅に渡る環状の外周壁10を有すると共に、前記第１入口2aに整合する冷媒1aの第１連通孔9を設けた偏平皿11と、
その偏平皿11の外周壁10に整合する外周を有し、その外周と前記外周壁の開口とが互いに接合される蓋部材11aと、を具備し、
前記偏平皿11および蓋部材11aはプレス加工により形成され、その蓋部材11aには偏平皿11の第１連通孔9に整合する蓋側連通孔9aが設けられ、
前記蓋部材11aと第１プレート5とが液密に接合され、
その偏平皿11の周辺底12と、その周辺底12の外面に対向する第２プレート6とが液密に接合され、
その偏平皿11と蓋部材11aとの周縁の接合部であって、第１流路7の入口側に、外絞り孔14が形成され、
冷媒1aが偏平皿11内の膨張空間16、外絞り孔14から前記第１流路7に導かれるように構成された積層型熱交換器である。
【００１３】
請求項７に記載の発明は、請求項６に記載の積層型熱交換器において、
蓋部材11a の第１流路7側の周縁が、偏平皿11の周縁より第１流路7側に延在し、その端縁が第２プレート6側へ断面Ｌ字状に折り曲げられて邪魔板部26を形成し、前記外絞り孔14から流出する冷媒がその邪魔板部26に衝突して拡散するように構成した積層型熱交換器である。
【００１４】
請求項８に記載の発明は、請求項６または請求項７に記載の積層型熱交換器において、
前記外絞り孔14が、前記偏平皿11の外周壁10の開口縁に設けた複数の凹部19と前記蓋部材11aとの間に形成されたことを特徴とする積層型熱交換器。
【００１５】
請求項９に記載の発明は、請求項６または請求項７に記載の積層型熱交換器において、
前記外絞り孔14が、前記偏平皿11の外周壁10の開口縁と蓋部材11aの周縁との間に設けた孔20であることを特徴とする積層型熱交換器である。
【００１６】
請求項10に記載の発明は、一対の第１流体1の第１入口2aおよび第１出口2bと、一対の第２流体3の第２入口4aおよび第２出口4bと、をそれぞれ有する皿状の第１プレート5と第２プレート6とが交互に積層され、
積層方向に、第１流体1が流通する第１流路7と、第２流体3が流通する第２流路8とが交互配置され、その第１流路7は第１入口2aと第１出口2bとの間に設けられ、第１流体1が気液二相流の冷媒1aである積層型熱交換器において、
第１流路7の入口側端部の内周縁に整合し、第２入口4aまたはその出口を内包して、第２プレート6の略全幅に渡る環状の外周壁10を有すると共に、前記第１入口2aに整合する冷媒1aの第１連通孔9を設けた偏平皿11 と、
その偏平皿11の外周壁10に、第１流路7側の周縁を除き、整合すると共に、その第１流路7側の周縁は断面Ｌ字状に曲折された壁部11bを有し、その壁部11bの先端縁と偏平皿11の底面とが接合されると共に、それ以外の外周と前記外周壁の開口とが互いに接合される蓋部材11aと、を具備し、
前記偏平皿11および蓋部材11aはプレス加工により形成され、その蓋部材11aには偏平皿11の第１連通孔9に整合する蓋側連通孔9aが設けられて、その蓋側連通孔9aの孔縁と偏平皿11の第１連通孔9の孔縁に互いに対向方向に突設した内周壁15，15aを有し、それら内周壁15，15aの端縁が互いに接合され、
前記蓋部材11aと第１プレート5とが液密に接合され、
その偏平皿11の周辺底12と、その周辺底12の外面に対向する第２プレート6とが液密に接合され、
その偏平皿11の内周壁15の付根と第２プレート6との間に部分的に内側隙間17が形成され、その内側隙間17の底に冷媒1aの内絞り孔18が形成され、
その偏平皿11と蓋部材11aの壁部11bとの接合部であって、第１流路7の入口側に、外絞り孔14が形成され、
冷媒1aが前記内絞り孔18、偏平皿11内の膨張空間16、外絞り孔14から前記第１流路7に導かれるように構成された積層型熱交換器である。
【００１７】
請求項11に記載の発明は、請求項10に記載の積層型熱交換器において、
蓋部材11a の壁部11bに対向する偏平皿11の周縁が邪魔板部26を形成し、前記外絞り孔14から流出する冷媒がその邪魔板部26に衝突して拡散するように構成した積層型熱交換器である。
【００１８】
請求項12に記載の発明は、請求項10または請求項11に記載の積層型熱交換器において、
前記外絞り孔14が、蓋部材11aの壁部11bの先端縁と前記偏平皿11の底面との間に設けた複数の凹部19であることを特徴とする積層型熱交換器である。
【発明の効果】
【００１９】
請求項１に記載の発明は、第１流体1の各第１入口2aと第１流路７との間に、偏平皿11および蓋部材11a を配置し、その偏平皿11の内周壁15の付根と第２プレート6との間に部分的に内側隙間17を形成し、その内側隙間17の底に冷媒1aの内絞り孔18を形成し、その偏平皿11と蓋部材11aとの周縁の接合部であって、第１流路7の入口側に、外絞り孔14を形成して、冷媒1aを前記内絞り孔18、偏平皿11内、外絞り孔14から前記第１流路7に導くように構成したものである。そのため、冷媒1aはその底の内絞り孔18で一旦絞られて、偏平皿11内に拡散し、外絞り孔14で再度絞られて、第１流路7に導かれて、拡散する。それにより、気液二相状態の冷媒が効果的に細分化されると共に、攪拌され、冷媒1aと第２流体3との熱交換を促進する。
そして、その内絞り孔18は、偏平皿11の底に形成することができ、その孔18を精度よく容易にプレス成形により製作でき、熱交換性能を所望の値にすることができる。
さらには、外絞り孔14が偏平皿11と蓋部材11aとの接合部に形成されるので、プレス成形等により容易に且つ精度よく設けることができ、熱交換を促進できる。
そして、この偏平皿11を使用することにより、外絞り孔14の配置位置の自由度が大きくなる。また、プレートの幅全体に渡って、冷媒を均一に流すことができる。
さらに、前記蓋部材11aと第１プレート5とが液密に接合され、偏平皿11の周辺底12と、その周辺底12の外面に対向する第２プレート6とが液密に接合されるから、各プレート5、6の第１入口2a、第１出口2b、第２入口4a、第２出口4bの回りの空間が全て二重構造で囲まれることとなり、その耐圧性を向上することができる。
【００２０】
請求項２に記載の発明は、蓋部材11a の周縁が、偏平皿11の周縁より突出して延在し、その端縁が断面Ｌ字状に折り曲げられて邪魔板部26を形成し、前記外絞り孔14から流出する冷媒がその邪魔板部に衝突して拡散するように構成したから、気液二相状態の冷媒が効果的に細分化されると共に、攪拌され、冷媒1aと第２流体3との熱交換を促進する。
【００２１】
請求項３に記載の発明は、外絞り孔14を、偏平皿11の外周壁10の開口縁に設けた複数の凹部19と前記蓋部材11aとの間に形成したから、その凹部19を精度よく容易にプレス成形により製作でき、熱交換性能を所望の値にすることができる。
【００２２】
請求項４に記載の発明は、外絞り孔14を、前記偏平皿11の外周壁10の開口縁と蓋部材11aの周縁との間に設けた孔20としたから、その孔20を精度よく容易にプレス成形により製作でき、熱交換性能を所望の値にすることができる。
【００２３】
請求項５に記載の発明は、偏平皿11と蓋部材11aとの間を連結部22で部分的に連結し、その連結部22を折り返して偏平皿11と蓋部材11aとの周縁を接触させたものであるから、部品点数が少なくなると共に、組立て容易で精度よく両者を接合できる。
【００２４】
請求項６に記載の発明は、偏平皿11と蓋部材11aと、を具備し、
その偏平皿11と蓋部材11aとの接合部に、外絞り孔14が形成されたものである。
その外絞り孔14が偏平皿11と蓋部材11aとの接合部に形成されるので、プレス成形等により容易に且つ精度よく設けることができ、熱交換を促進できる。
そして、この偏平皿11を使用することにより、外絞り孔14の配置位置の自由度が大きくなる。また、プレートの幅全体に渡って、冷媒を均一に流すことができる。
さらに、前記蓋部材11aと第１プレート5とが液密に接合され、偏平皿11の周辺底12と、その周辺底12の外面に対向する第２プレート6とが液密に接合されるから、各プレート5、6の第１入口2a、第１出口2b、第２入口4a、第２出口4bの回りの空間が全て二重構造で囲まれることとなり、その耐圧性を向上することができる。
【００２５】
請求項７に記載の発明は、蓋部材11aに断面Ｌ字状に折り曲げられた邪魔板部26を有するから、外絞り孔14から流出する冷媒がその邪魔板部26に衝突して拡散し、熱交換性能のよいものとなる。
【００２６】
請求項８に記載の発明は、外絞り孔14が、前記偏平皿11の外周壁10の開口縁に設けた複数の凹部19と前記蓋部材11aとの間に形成されたから、その凹部19を精度よく容易にプレス成形により製作でき、熱交換性能を所望の値にすることができる。
【００２７】
請求項９に記載の発明は、外絞り孔14を、前記偏平皿11の外周壁10の開口縁と蓋部材11aの周縁との間に設けた孔20としたから、その孔20を精度よく容易にプレス成形により製作でき、熱交換性能を所望の値にすることができる。
【００２８】
請求項10〜請求項12に記載の発明は、蓋部材11aの第１流路７側の端縁に設けた断面Ｌ字状の壁部11bが偏平皿11の外周壁10の内側に配置されたものである。そして、その作用効果は、請求項１〜請求項３の作用効果と同一である。
【図面の簡単な説明】
【００２９】
【図１】本発明の積層型熱交換器の分解斜視図。
【図２】同熱交換器の斜視図。
【図３】同熱交換器に挿入される偏平皿11および蓋部材11aの斜視図であって、開いた状態を示す。
【図４】同閉じた状態を示す。
【図５】図４のＶ−Ｖ矢視断面図。
【図６】同熱交換器の内部を示す平面図。
【図７】図６のVII−VII矢視断面図。
【図８】図６のVIII−VIII矢視断面図。
【図９】図６のIX−IX矢視断面図。
【図１０】第２実施例の偏平皿11の斜視図であって、開いた状態を示す。
【図１１】同閉じた状態を示す。
【図１２】図１１のXII−XII矢視断面図。
【図１３】本発明の第３実施例の偏平皿11の斜視図であって、開いた状態を示す。
【図１４】同閉じた状態を示す。
【図１５】図１４のXV−XV矢視断面図。
【図１６】第４実施例の偏平皿11の斜視図であって、開いた状態を示す。
【図１７】同閉じた状態を示す。
【図１８】同熱交換器に挿入される第５実施例の偏平皿11および蓋部材11aの斜視図であって、開いた状態を示す。
【図１９】同閉じた状態を示す。
【図２０】図19のXX-XX断面図を示す。
【発明を実施するための形態】
【００３０】
次に、図面に基づいて本発明の実施の形態につき説明する。
【実施例１】
【００３１】
図１〜図９は、本発明の第１実施例を示す。
この積層型熱交換器は、図１に示すごとく、第１プレート5と第２プレート6とを交互に積層して、その一枚ごとに交互に第１流体1が流通する第１流路7と、第２流体3が流通する第２流路8とを配置したものである。各プレートは、この例では、一対の第１流体1用の第１入口2aおよび第１出口2bと、一対の第２流体3用の第２入口4aおよび第２出口4bをそれぞれ並列に配置した細長い方形の皿状に形成されたものである。なお、各流体の出入口を対角位置に配置することもできる。
【００３２】
そして、その第１流体1が気液二相状態の冷媒1aである。なお、一枚ごとに交互に第１流体1が流通する第１流路7と、第２流体3が流通する第２流路8とを配置する手段は各種のものが多数提案されているので、その詳細は省略する。
各第１入口2aと、第１流路7との間には、偏平皿11およびその蓋部材11aが配置されている。
【００３３】
この偏平皿11は、図３、図４に示す如く、第１流路7の入口側端部の内周縁に整合し、第２入口4aまたはその出口（図１において、第２流体3の向きが反対のとき、符号4aが第２出口になる）を内包して、第２プレート6の略全幅に渡る環状の外周壁10を有すると共に、前記第１入口2aに整合する冷媒1aの第１連通孔9を設けたものである。
蓋部材11aは、その偏平皿11の外周壁10の開口に整合する外周を有し、その外周と前記外周壁の開口（小フランジ部）とが互いに接合される。
【００３４】
そして、偏平皿11および蓋部材11aはプレス加工により、２箇所の小さな連結部22で連結された状態で平面的に同時に形成され、後にその連結部22で折り返されて最中状に形成される。その蓋部材11aには偏平皿11の第１連通孔9に整合する位置に蓋側連通孔9aが設けられて、その蓋側連通孔9aの孔縁と偏平皿11の第１連通孔9の孔縁に互いに対向方向に突設した内周壁15，15aを有し、それら内周壁15，15aの端縁の内フランジ部が互いに接合される。このとき、偏平皿11と蓋部材11aとは、前記の如く、連結部22で折り返されている。
【００３５】
次に、その蓋部材11aと第１プレート5とは液密に接合され、偏平皿11 の周辺底12と、その周辺底12の外面に対向する第２プレート6とが液密に接合される。従って、蓋部材11aと偏平皿11とが、第１プレート5と第２プレート6との間に挟持される。
その偏平皿11の内周壁15の付根と第２プレート6との間には、舌片状の内側隙間17が形成され、その内側隙間17の底に冷媒1aの内絞り孔18が形成されている。
偏平皿11と蓋部材11aとの周縁の接合部であって、第１流路7の入口側に、幅方向に互いに離間して複数の外絞り孔14が定ピッチで形成されている。この例では、外絞り孔14として、偏平皿11の外周壁10の開口縁の小フランジ部に互いに離間して複数の凹部19が設けられている。そして、偏平皿11の開口を蓋部材11aが閉塞することにより、その凹部19が外絞り孔14を形成する。
【００３６】
そして、冷媒1aが内絞り孔18で絞られ、それが偏平皿11内の膨張空間16で膨張し、次いで、外絞り孔14から前記第１流路7に導かれる。
さらに蓋部材11aは、その第１流路7側の周縁が、偏平皿11の周縁より第１流路7側に延在し、その端縁が第２プレート6側へ断面Ｌ字状に折り曲げられて邪魔板部26を形成している。この邪魔板部26は外絞り孔14から流出する冷媒をその邪魔板部26に衝突させて拡散させるものである。
【００３７】
偏平皿11，蓋部材11aは、その平面が略方形である。これは、第１プレート5、第２プレート6が細長い方形の皿状に形成され、その長手方向の四隅が弧状に形成されているので、そのプレートの長手方向の端部外周に整合するように、偏平皿11，蓋部材11aの外周壁10を形成したものである。そして、その偏平皿11，蓋部材11aが、第１プレート5、第２プレート6間の冷媒入口側の端部に配置される。その偏平皿11，蓋部材11aの第１連通孔9、蓋側連通孔9aの各孔縁の内周壁15、15aの端縁どうしが、図４の如く、互いに接触した状態で、それらが第１プレート5と第２プレート6との間に図５、図７、図９の如く、内装される。このとき、内周壁15の付根と第２プレート6との間に部分的に内側隙間17が形成される。
【００３８】
そして、その内側隙間17の底に冷媒1aの内絞り孔18が形成され、冷媒1aがその内側隙間17から内絞り孔18、外絞り孔14、邪魔板部26を順に通過して第１流路7に導かれるものである。このとき、冷媒1aは内絞り孔18により一旦絞られて拡散し、次いで外絞り孔14によりさらに絞られ、邪魔板部26に衝突した後、拡散し、第１流路7にさらに拡散する。外絞り孔14は偏平皿11の長手方向（プレートの幅方向）に定間隔に多数設けられ、それにより冷媒を円滑に流通させうる。なお、内絞り孔18および外絞り孔14としての凹部19は、プレス成形の際、そのプレスの移動方向に形成されている。
【００３９】
このようにしてなる、偏平皿11，蓋部材11aは、図１に示す如く、第２プレート6の上面側の左端部に載置され、その各出入口2a，2b,4a，4bの近傍を除く、第１流路7には、インナーフィン21が内装され、伝熱面積を大きくして熱交換を促進する。第２プレート6の上面側の第１プレート5には多数のディンプル23が形成され、その上面側の第１プレート5が第２流体3の流通する第２流路8を形成する。そして、その積層体の最上端および最下端には端蓋25，基板28が配置され、その上側の端蓋25の開口に入口パイプ24，出口パイプ27が取り付けられる。
【００４０】
このようにしてなる熱交換器には、第１流体1として冷媒1aが入口パイプ24から第１プレート5および第２プレート6の第１入口2aに供給され、それが偏平皿11、蓋部材11aを介して第１流路7に導かれる。このとき、冷媒1aは先ず、偏平皿11の底と第２プレート6との間に形成された内側隙間17から、内絞り孔18を通り、外絞り孔14に達する。
このとき、冷媒は先ず内側隙間17で絞られ、さらに内絞り孔18によって絞られ、偏平皿11内の膨張空間16に拡散する。そして、膨張空間16内を半周して外絞り孔14によって絞られ、邪魔板部26に衝突して膨張分散し、第１流路7でさらに膨張する。このとき冷媒は再三、細分化されて第１流路7に供給される。これらの作用により、気液二相流は従来以上に細分化されるとともに、均一に攪拌される。
【００４１】
そして、冷媒1aが第１流路7から第１出口2bより流出する。そして、第２流体3が第２入口4aから各第２流路8を通り、第２出口4bから流出する。このとき、その冷媒1aと第２流体3との間に熱交換が行なわれるものである。なお、第２流体3の流通方向を図示のものと逆にして、両流体を対向流とすることもできる。
【実施例２】
【００４２】
図１０〜図１２は、本発明の積層型熱交換器の第２実施例を示し、この実施例が第１実施例と異なる点は、外絞り孔14の構造のみである。この例では、蓋部材11aの邪魔板部26に隣接した位置で、その長手方向に互いに離間して、複数の楕円形の孔20が穿設され、そこが、図１２に示す如く、外絞り孔14となる。この孔20の楕円の長軸の長さは偏平皿11の外フランジ部の幅よりも大である。
その外絞り孔14の他は、第１実施例と同一であるとともに、その作用効果も同一である。
【実施例３】
【００４３】
次に、図１３〜図１５は本発明の第３実施例であり、この実施例が前記第１実施例の図３及び図４と異なる点は、偏平皿11、蓋部材11aに設けた第１連通孔9、蓋側連通孔9aの外周に内周壁の立上げが存在しない点、及び内側隙間、並びに内絞り孔が存在しない点のみである。
この例でも、図１５に示すごとく、第１プレート5の平面に蓋部材11aの上面が一体にろう付け固定され、偏平皿11の平面が第２プレート6の平面に一体にろう付け固定されている。そのため、それらの内部における耐圧性が向上するとともに、製造容易な積層型熱交換器を提供できる。
【実施例４】
【００４４】
次に、図１６、図１７は本発明の第４実施例であり、この実施例が前記第２実施例の図１０及び図１１，図１２と異なる点は、第３実施例同様に、偏平皿11及び蓋部材11aの第１連通孔9、蓋側連通孔9aの孔縁部に内周壁が存在しない点、及び内側隙間並びに内絞り孔が存在しない点のみである。そして、それらの各構成の作用効果を除き、第４実施例の積層型熱交換器も、第２実施例の作用効果を有する。
【実施例５】
【００４５】
次に、図１８〜図２０は、本発明の第５実施例であり、この実施例が図３〜図５の第１実施例と異なる点は、蓋部材11aの第１流路７側に断面L字状に壁部11bが設けられ、その壁部11bの先端が偏平皿11の周辺底12に接合される点である。
そのために、蓋部材11aの壁部11bは偏平皿11の外周壁10より内側に、図１９のごとく収納される。その壁部11bの先端にはフランジ部11cが設けられ、そこに外絞り孔14としての凹部19が設けられたものである。そして、その壁部11bに対向する外周壁10が邪魔板部26を形成する。
なお、その邪魔板部26の縁部と第１プレート５との間には図２０のごとく、蓋部材11aの板厚分の隙間が形成されている。そして、冷媒1aは図２０の矢印のごとく、内絞り孔18、偏平皿11内の膨張空間16、外絞り孔14から流出し、その冷媒が邪魔板部26に衝突して拡散し、さらに、その先端と第１プレート５との隙間で一旦絞られた後、拡散して第１流路７に導かれる。
【００４６】
（他の実施例）
前記外絞り孔14として、偏平皿11の外周壁の開口端および外フランジ部に連続した欠切部を形成したものであってもよい。さらには、耐圧性のみに着目した場合には、その外周壁に孔を穿設することも考えられる。さらに、邪魔板部26を櫛歯状に立設することができる。それにより、攪拌効果を増大できる。また、邪魔板部26に多数の孔を穿設することもできる。その邪魔板部26は、必要応じて、蓋部材11aの端部に任意の幅のものを接合してもよい。
【符号の説明】
【００４７】
1   第１流体
1a  冷媒
2a  第１入口
2b  第１出口
3   第２流体
4a  第２入口
4b  第２出口
5   第１プレート
6   第２プレート
【００４８】
7   第１流路
8   第２流路
9   第１連通孔
9a  蓋側連通孔
10  外周壁
11  偏平皿
11a  蓋部材
11b  壁部
11c  フランジ部
12  周辺底
【００４９】
13  第２連通孔
14  外絞り孔
15  内周壁
15a  内周壁
16  膨張空間
17  内側隙間
18  内絞り孔
19  凹部
20  孔
【００５０】
21  インナーフィン
22  連結部
23  ディンプル
24  入口パイプ
25  端蓋
26  邪魔板部
27  出口パイプ
28  基板
【図１】
2014109388.tif 000003
【図２】
2014109388.tif 000004
【図３】
2014109388.tif 000005
【図４】
2014109388.tif 000006
【図５】
2014109388.tif 000007
【図６】
2014109388.tif 000008
【図７】
2014109388.tif 000009
【図８】
2014109388.tif 000010
【図９】
2014109388.tif 000011
【図１０】
2014109388.tif 000012
【図１１】
2014109388.tif 000013
【図１２】
2014109388.tif 000014
【図１３】
2014109388.tif 000015
【図１４】
2014109388.tif 000016
【図１５】
2014109388.tif 000017
【図１６】
2014109388.tif 000018
【図１７】
2014109388.tif 000019
【図１８】
2014109388.tif 000020
【図１９】
2014109388.tif 000021
【図２０】
2014109388.tif 000022